(57)【要約】【課題】  被検者にとって利便性が高く、作業負荷の小さい低コストな方法を用いて、排卵日を予測する情報処理装置を提供する。【解決手段】  おりものの状態に関する測定情報を取得し、該測定情報を測定した日情報と対応付けて外部記憶装置（２０４）に格納する格納部（２１１）と、予測指示が入力されたタイミングから、過去、所定日数の間に測定されている前記測定情報が外部記憶装置（２０４）により複数格納されていた場合に、該所定日数の間に測定された複数の前記測定情報の時間経過に対する変化に基づいて、排卵日を予測する排卵日予測部（２１２）と、排卵日予測部（２１２）により予測された排卵日を表示する表示装置２０６とを備える。【選択図】  図２
2014064706.tif 000002
【特許請求の範囲】
【請求項１】
おりものの状態を示す測定情報を取得し、該測定情報を測定した日情報と対応付けて記憶部に格納する格納手段と、
予測指示が入力されたタイミングから、過去、所定日数の間に測定された前記測定情報が前記記憶部に複数格納されていた場合に、該所定日数の間に測定された複数の前記測定情報の時間経過に対する変化に基づいて、排卵日を予測する予測手段と、
前記予測手段により予測された排卵日を表示する表示手段と
を備えることを特徴とする情報処理装置。
【請求項２】
前記測定情報には、おりものの量、おりもののＰＨ値、またはおりものの粘度に関する情報が含まれることを特徴とする請求項１に記載の情報処理装置。
【請求項３】
前記予測手段は、前記測定情報が時間経過に伴って変化しはじめたタイミングから予め定められた日数が経過した後を、前記排卵日と予測することを特徴とする請求項１または２に記載の情報処理装置。
【請求項４】
前記格納手段は、更に、生理日初日を特定するための生理日情報を前記記憶部に格納し、
前記情報処理装置は、
前記記憶部に格納された生理日情報に基づいて過去の排卵日を特定するとともに、該過去の排卵日における過去の測定情報と、該過去の排卵日前の前記所定日数分の過去の測定情報とを用いて、該過去の測定情報が時間経過に伴って変化しはじめたタイミングから、該特定された過去の排卵日に到達するまでの到達日数を算出する算出手段を更に備え、
前記予測手段は、前記測定情報が時間経過に伴って変化しはじめたタイミングから、前記算出手段により算出された到達日数が経過した後を、前記排卵日と予測することを特徴とする請求項３に記載の情報処理装置。
【請求項５】
前記算出手段は、前記過去の排卵日における過去の測定情報、及び、該過去の排卵日前の前記所定日数分の過去の測定情報の、時間経過に伴う変化を近似する近似曲線を算出することで、前記到達日数を算出し、
前記予測手段は、前記所定日数の間に測定された複数の前記測定情報を前記近似曲線に当てはめることで、前記測定情報が時間経過に伴って変化しはじめたタイミングを特定することを特徴とする請求項４に記載の情報処理装置。
【請求項６】
情報処理装置における情報処理方法であって、
おりものの状態に関する測定情報を取得し、該測定情報を測定した日情報と対応付けて記憶部に格納する格納工程と、
予測指示が入力されたタイミングから、過去、所定日数の間に測定されている前記測定情報が前記記憶部に複数格納されていた場合に、該所定日数の間に測定された複数の前記測定情報の時間経過に対する変化に基づいて、排卵日を予測する予測工程と、
前記予測工程により予測された排卵日を表示する表示工程と
を備えることを特徴とする情報処理方法。
【請求項７】
コンピュータに、
おりものの状態に関する測定情報を取得し、該測定情報を測定した日情報と対応付けて記憶部に格納する格納工程と、
予測指示が入力されたタイミングから、過去、所定日数の間に測定されている前記測定情報が前記記憶部に複数格納されていた場合に、該所定日数の間に測定された複数の前記測定情報の時間経過に対する変化に基づいて、排卵日を予測する予測工程と、
前記予測工程により予測された排卵日を表示する表示工程と
を実行させるためのプログラム。
【発明の詳細な説明】
【技術分野】
【０００１】
本発明は、排卵日予測機能を有する情報処理装置及び情報処理方法に関するものである。
【背景技術】
【０００２】
妊娠したいという希望を持つ人にとって、排卵日を特定することは重要である。一般に、排卵日を特定する方法としては、基礎体温を測定する方法や、排卵検査薬を用いて尿のホルモンを測定する方法、あるいは超音波診断により卵胞を測定する方法等が挙げられる。
【０００３】
このうち、超音波診断により卵胞を測定する方法は、正確に排卵日を特定できる反面、専門の検査機関等において測定する必要があり、利便性に欠ける。一方、排卵検査薬を用いる方法の場合、自宅で測定ができるため、利便性は高いものの、排卵検査薬自体の値段が高く、継続して実施する場合には、個人の負担が大きいというデメリットがある。
【０００４】
これに対して、基礎体温を測定する方法の場合、自宅で測定ができるうえ、継続して実施した場合であってもコストがかさむことがなく、より現実的な方法といえる。
【先行技術文献】
【特許文献】
【０００５】
【特許文献１】特開２０１０−０１２０９１号公報
【発明の概要】
【発明が解決しようとする課題】
【０００６】
しかしながら、基礎体温を測定する方法の場合、基礎体温の測定を長期間にわたって毎日行う必要があり、更に、生理日等のメモ情報も定期的に入力する必要があるため、被検者にとっては作業負荷が高い。
【０００７】
また、基礎体温を測定する方法の場合、そもそも基礎体温が不安定な被検者にとっては、十分な予測精度が期待できないといったデメリットもある。
【０００８】
このようなことから、排卵日を予測する機能を実現するにあたっては、被検者にとって利便性が高く、低コストで実施することができ、かつ、被検者の作業負荷の小さい方法を採ることが望ましい。
【０００９】
本発明は上記課題に鑑みてなされたものであり、被検者にとって利便性が高く、作業負荷の小さい低コストな方法により、排卵日を予測する情報処理装置を提供することを目的とする。
【課題を解決するための手段】
【００１０】
上記の目的を達成するために、本発明に係る情報処理装置は以下のような構成を備える。即ち、
おりものの状態に関する測定情報を取得し、該測定情報を測定した日情報と対応付けて記憶部に格納する格納手段と、
予測指示が入力されたタイミングから、過去、所定日数の間に測定された前記測定情報が前記記憶部に複数格納されていた場合に、該所定日数の間に測定された複数の前記測定情報の時間経過に対する変化に基づいて、排卵日を予測する予測手段と、
前記予測手段により予測された排卵日を表示する表示手段とを備える。
【発明の効果】
【００１１】
本発明によれば、被検者にとって利便性が高く、作業負荷の小さい低コストな方法により、排卵日を予測する情報処理装置を提供することが可能となる。
【図面の簡単な説明】
【００１２】
【図１】本発明の一実施形態に係る情報処理装置を含む、予測システムの外観構成を示す図である。
【図２】情報処理装置のシステム構成を示す図である。
【図３】予測システムを構成する女性体温計の表示部に表示される表示内容を示す図である。
【図４】女性の生理的な周期の一例を示す図である。
【図５】情報処理装置における排卵日予測処理の流れを示すフローチャートである。
【図６】排卵日予測処理における解析機能を説明するための図である。
【図７】メモ情報を測定するためのシートを示す図である。
【図８】情報処理装置における排卵日予測処理の流れを示すフローチャートである。
【図９】メモ情報を測定するためのシートを示す図である。
【発明を実施するための形態】
【００１３】
はじめに、本発明の各実施形態の概要について説明する。本発明の各実施形態に係る情報処理装置では、被検者の排卵日を予測するにあたり、子宮頸管粘液法を用いる。一般に子宮頸管粘液法とは、排卵前の頸管粘液（おりもの）を採取し、その状態を解析することで、排卵日を予測する方法であり、本発明の第１乃至第３の実施形態では、頸管粘液（おりもの）の状態として、おりものの量に着目し、測定された量データに基づいて、排卵日を予測する。また、第４の実施形態では、おりもののＰＨ値に着目し、測定されたＰＨデータに基づいて、排卵日を予測する。
【００１４】
以下、本発明の各実施形態の詳細について図面を参照しながら説明する。
【００１５】
［第１の実施形態］
＜１．予測システムの外観構成＞
図１は、本発明の一実施形態に係る情報処理装置を含む、排卵日を予測するための予測システムの外観を示す図である。
【００１６】
図１において、１００は情報処理装置であり、女性体温計１１０と通信することにより、女性体温計１１０において入力された、生理日、生理痛、性交、飲薬、発熱、おりもの等のメモ情報や、女性体温計１１０において測定された基礎体温データを取得する機能を有する。また、取得したメモ情報、または、メモ情報と基礎体温データとを用いて、被検者の排卵日を予測する排卵日予測機能を有する。
【００１７】
なお、図１の例では、女性体温計１１０と通信することにより、メモ情報や基礎体温データを取得する構成としたが、本発明はこれに限定されず、情報処理装置１００に、直接、メモ情報や基礎体温データ等を入力することで、メモ情報や基礎体温データ等を取得する構成としてもよい。
【００１８】
女性体温計１１０において、１１１は表示部であり、数字・文字・図形（キャラクター、アイコン等）を表示可能な、ドットマトリックス液晶部等により構成されている。なお、表示部１１１に表示される表示内容の詳細は後述する。
【００１９】
１１２は操作部であり、表示部１１１上に表示された表示内容に基づいて、女性体温計１１０に各種指示を入力する際に用いられる。なお、操作部１１２は、表示部１１１上に表示されたメニュー項目等の選択対象が選択状態にあることを示す識別子（カーソル）を移動させるための指示（移動指示）を与える左ボタン１１３、右ボタン１１４を備える。また、該カーソルの移動先の選択対象について、設定値を変更したりするための指示（変更指示）を与える上ボタン１１５、下ボタン１１６を備える。更に、カーソルの移動先の選択対象（またはカーソルの移動先の選択対象について、変更された設定値）を決定するための決定ボタン１１７を備える。なお、決定ボタン１１７は、女性体温計１１０の電源ＯＮ／ＯＦＦスイッチとしての役割も担っている（決定ボタン１１７を長押しすることにより、電源がＯＮ状態またはＯＦＦ状態となる）。
【００２０】
＜２．情報処理装置のシステム構成＞
次に情報処理装置１００のシステム構成について説明する。図２は、情報処理装置１００のシステム構成を示すブロック図である。図２において、２０１は制御メモリ（ＲＯＭ）、２０２は中央演算処理装置（ＣＰＵ）、２０３はメモリ（ＲＡＭ）、２０４はコンピュータ読み取り可能な外部記憶装置（記録媒体）である。
【００２１】
また、２０５はユーザの指示を入力するための入力装置（図１に示すキーボードまたは不図示のマウスに対応する）、２０６は表示装置（図１に示す液晶表示部に対応する）、２０７は女性体温計１１０との間で、メモ情報及び基礎体温データ（測定情報）の送受信を行うためのインタフェース装置である。更に、２０８はバスである。
【００２２】
本実施形態に係る情報処理装置１００の場合、女性体温計１１０より（あるいは入力装置２０５を介して）メモ情報及び基礎体温データ（測定情報）を取得し、外部記憶装置２０４内に、該測定情報を測定した日情報と対応付けて、メモ情報及び基礎体温データ（測定情報）２１３として格納するための格納部２１１、及び、格納されたメモ情報に基づいて、あるいは、格納されたメモ情報と基礎体温データとに基づいて、被検者の排卵日を予測する排卵日予測部２１２として機能するためのプログラムを備える。
【００２３】
当該プログラム、ならびに、メモ情報及び基礎体温データ（測定情報）２１３は、中央演算処理装置２０２の制御のもと、バス２０８を介して適宜メモリ２０３に取り込まれ、中央演算処理装置２０２によって処理される。
【００２４】
＜３．女性体温計の表示部の表示内容＞
次に、女性体温計１１０の表示部１１１に表示される表示内容について簡単に説明する。図３は、女性体温計１１０の表示部１１１に表示される表示内容の一例を示す図である。
【００２５】
図３において、３０１は女性体温計１１０の各種機能を選択するための選択機能表示領域である。選択機能表示領域３０１に表示された各絵文字（アイコン）は、左から順に、メモ入力機能、目覚まし時刻設定機能、音量設定機能、時刻設定機能を選択するためのアイコンである。
【００２６】
３０２はメモ入力機能が選択された際に、入力されるメモ項目を選択するための選択メモ表示領域である。選択メモ表示領域３０２に表示された各絵文字（アイコン）は、左から順に、生理日、発熱、不正出血、生理痛、性交、飲薬、おりものの量等を示すアイコンである。なお、おりものの量は、例えば、被検者が目視により判断した、０〜３の４段階のうちのいずれかの数値を選択的に入力できるように構成されているものとする。
【００２７】
３０３は測定データ表示領域であり、測定された基礎体温データを表示したり、過去の所定日数分の基礎体温データをトレンドグラフとして表示したりする。
【００２８】
３０４は設定情報表示領域であり、目覚まし時刻設定機能や音量設定機能等を用いてユーザが設定した設定内容を表示する。
【００２９】
３０５は現在日時表示領域であり、現在の日付（年月日）または時刻（時分）を表示する。３０６は内部状態表示領域であり、女性体温計１１０の内部状態を示す情報（例えば、電池の残量等）を表示する。
【００３０】
このように、女性体温計１１０を用いることにより、被検者はメモ情報を、メモ情報の内容が実施された日付を示す日情報と対応付けて簡単に記録することができる。
【００３１】
＜４．生理的な周期の例＞
次に、月経周期について簡単に説明する。図４は、月経周期の一例を示す図である。丸囲み数字は各月経周期における生理日初日４０１〜４０５を表し、この間の符号ａ〜ｄがそれぞれ月経周期となる。月経周期は、生理日初日を開始日とし、次回の生理日初日の前日を最終日とする周期である。各月経周期には、生理日初日から排卵日前日までの低温相期間と、排卵日から次回生理日初日の前日までの高温相期間とが含まれる。４１１〜４１２はおりものの量を示しており、通常、各月経周期内において、排卵日前に増加する。
【００３２】
＜５．排卵日予測処理の流れ＞
次に、情報処理装置１００における排卵日予測処理の流れについて説明する。図５は、排卵日予測部２１２による排卵日予測処理の流れを示すフローチャートである。
【００３３】
入力装置２０５を介して、被検者により予測指示が入力され、排卵日予測部２１２による排卵日予測処理が起動されると、ステップＳ５０１では、外部記憶装置２０４内に日情報と対応付けて格納されているメモ情報を読み出す。更に、ステップＳ５０２では、読み出したメモ情報の中に、少なくとも、予測指示が入力されたタイミング（現在日時）から、過去、所定日数以内に測定されたおりものの量データがあるか否かを判定する。
【００３４】
ステップＳ５０２において、予測指示が入力されたタイミングから、過去、所定日数以内に測定されたおりものの量データがないと判定された場合には、排卵日が過ぎていると判断し、ステップＳ５０９に進む。ステップＳ５０９では、次の排卵日まで日数がある旨のメッセージを通知する。
【００３５】
一方、ステップＳ５０２において、予測指示が入力されたタイミングから、過去、所定日数以内に測定されたおりものの量データがあると判定された場合には、ステップＳ５０３に進む。
【００３６】
ステップＳ５０３では、ステップＳ５０１において読み出されたメモ情報に、生理日初日を判断可能なデータ（生理日情報）が、所定個数（月経周期所定回数分）以上含まれているか否かを判定する。ステップＳ５０３において、生理日初日を判断可能なデータ（生理日情報）が、所定個数以上含まれていないと判定された場合には、ステップＳ５０４に進み、おりものの量データのみに基づいて排卵日を予測する。具体的には、所定日数内において量データが増加しはじめた日を特定し、当該増加しはじめた日から３日経過後を排卵日と予測する。
【００３７】
一方、ステップＳ５０３において、ステップＳ５０１において読み出されたメモ情報に、生理日初日を判断可能なデータ（生理日情報）が所定個数以上含まれていると判定された場合には、ステップＳ５０５に進み、判断された過去の各生理日初日の間に（つまり、各月経周期内に）、対応するおりものの量データが所定個数以上あるか否かを判定する。
【００３８】
例えば、生理日を示すメモ情報が複数格納されており、それぞれの月経周期における生理日初日が特定された結果、図４に示す４０１〜４０５のように、５回分の生理日初日が特定されたとする。図４の場合、４０１に示す生理日初日と、４０２に示す生理日初日との間に測定されたおりものの量データ４１１が複数格納されている。同様に、４０２に示す生理日初日と４０３に示す生理日初日との間、４０３に示す生理日初日と４０４に示す生理日初日との間、４０４に示す生理日初日と４０５に示す生理日初日との間にも、それぞれ、測定された複数のおりものの量データ４１２〜４１４が格納されている。
【００３９】
このように、過去の各生理日初日の間に、対応するおりものの量データが所定個数以上ある場合には、ステップＳ５０６に進む。一方、対応するおりものの量データが所定個数以上ない場合には、ステップＳ５０４に進み、上述の予測を行う。
【００４０】
ステップＳ５０６では、特定された過去の生理日初日と、過去のおりものの量データとを用いて解析処理を実行する。
【００４１】
具体的には、まず、特定された過去の生理日初日の所定日数前（例えば、１４日前）を排卵日と仮定し、当該過去の排卵日及び当該過去の排卵日におけるおりものの量データを、それぞれ基準日及び基準量として、基準日前後の量データを正規化する。
【００４２】
例えば、基準日の量データが４段階のうちの“３”で、その前日の量データが“２”であったとすると、前日のデータは、（−１、−１）と正規化することができる。また、その前々日の量データも“２”であったとすると、前々日のデータは、（−２、−１）と正規化することができる。
【００４３】
続いて、このようにして正規化したデータを２次元領域にプロットしていく。なお、これらの処理は、過去の各生理日初日の間それぞれについて行う。図６は、過去の各生理日初日の間それぞれについて、正規化したデータをプロットした様子を示している。
【００４４】
図６において、横軸は、基準日を原点とした場合の経過日数を示しており、縦軸は、基準量を原点とした場合の量データの差分を示している。
【００４５】
図６に示すように、正規化したデータをプロットすることで、量データの時間経過に対する変化を示す近似曲線６０１を算出することができる。また、算出した近似曲線６０１に基づいて、量データが増加しはじめてから排卵日に到達するまでの到達日数６０２を算出することができる。
【００４６】
図５に戻る。ステップＳ５０７では、予測指示が入力されたタイミングから、過去、所定日数以内に測定されたおりものの量データと、ステップＳ５０６の解析処理により算出された近似曲線６０１及び到達日数６０２とを用いて、今回の排卵日を予測する。
【００４７】
具体的には、予測指示が入力されたタイミングから、過去、所定日数以内に測定されたおりものの量データを正規化したうえで、近似曲線６０１に代入することで、量データが増加しはじめた日を算出し、当該算出した日に、到達日数６０２を加算することで、排卵日を予測する。
【００４８】
ステップＳ５０８では、ステップＳ５０４またはステップＳ５０７において予測された排卵日を予測結果として表示し、処理を終了する。
【００４９】
以上の説明から明らかなように、本実施形態では、メモ情報としておりものの量データを取得し、当該取得した量データに基づいて、排卵日を予測する構成とした。
【００５０】
このようにメモ情報に含まれるおりものの量データに基づいて予測する構成とすることで、自宅等において簡単に、かつ低コストで実施することが可能になるとともに、従来の基礎体温を測定する方法のように、長期間にわたり基礎体温データを継続して測定する必要がないため、被検者の作業負荷を大幅に軽減させることが可能となる。
【００５１】
また、本実施形態では、更に、メモ情報として過去の生理日初日を判断可能なデータが所定個数以上含まれており、かつ、対応する過去のおりものの量データが所定個数以上含まれていた場合には、解析処理を実行する構成とした。
【００５２】
これにより、被検者に適した排卵日予測を行うことが可能となり、予測精度を向上させることが可能となった。
【００５３】
［第２の実施形態］
上記第１の実施形態では、おりものの量データを入力するにあたり、被検者が目視で０〜３までの４段階のいずれかを入力する構成としたが、本発明はこれに限定されない。
【００５４】
例えば、専用のシートを用いて、おりものの量データをより定量的に判断するようにしてもよい。
【００５５】
図７は、おりものの量を定量化するための専用のシート７００の一例を示す図である。図７に示すように、シート７００には、おりものが吸収された範囲を示すための同心円状のマーク７０１が、おりものが吸収される領域に付されている。これにより、いずれのマークの位置まで、おりものが広がったか（つまり、同心円の中心位置からの距離）を判断することが可能となり、被検者は、量データを定量的に把握することができるようになる（例えば、最も内側のマーク内に収まっていた場合には、４段階のうちの“１”を入力し、最も外側のマークまで広がっていた場合には、４段階のうちの“３”を入力する）。
【００５６】
つまり、専用のシート７００を用いることにより、おりものの量データを、０〜Ｎ（Ｎは１以上の整数で、同心円の数に等しい）のＮ＋１段階の数値として定量化することが可能となる。
【００５７】
なお、図７の例では、シート７００のおりものが吸収される領域の表面にマーク７０１を付す場合について説明したが、マーク７０１の位置は表面に限られず、裏面であってもよい。
【００５８】
［第３の実施形態］
上記第１及び第２の実施形態では、排卵日を予測するにあたりメモ情報のみを利用することとしたが、本発明はこれに限定されない。被検者により基礎体温データが測定されていた場合にあっては、当該基礎体温データを利用するようにしてもよい。
【００５９】
図８は、排卵日予測部２１２による排卵日予測処理の流れを示すフローチャートであり、基礎体温データを利用した場合の処理の流れを示している。なお、図５と同様の処理工程については、同じ参照番号を付すこととし、説明は省略する。
【００６０】
ステップＳ８０１では、外部記憶装置（記憶部）２０４内に格納されている基礎体温データを読み出す。また、ステップＳ５０１では、外部記憶装置２０４内に格納されているメモ情報を読み出す。
【００６１】
ステップＳ８０２では、ステップＳ８０１において読み出された基礎体温データに基づいて、高温相平均体温及び低温相平均体温を算出することが可能か否かを判定する。具体的には、各月経周期内の高温相期間の基礎体温データとして、３月経周期分の基礎体温データが含まれていれば、高温相平均体温を算出可能と判定する。同様に、各月経周期内の低温相期間の基礎体温データとして、３月経周期分の基礎体温データが含まれていれば、低温相平均体温を算出可能と判定する。
【００６２】
ステップＳ８０２において、算出可能と判定された場合には、ステップＳ８０３に進む。一方、算出可能でないと判定された場合には、ステップＳ５０２に進む。
【００６３】
ステップＳ８０３では、高温相平均体温と低温相平均体温とに基づいて、基準体温（＝（高温相平均体温＋低温相平均体温）／２）を算出する。更に、ステップＳ８０４では、ステップＳ８０１において読み出された基礎体温データのうち、現在の基礎体温データが、ステップＳ８０３において算出された基準体温よりも低いか否かを判断することにより、現在が低体温相期間であるのか否かを判定する。
【００６４】
ステップＳ８０４において、現在が低温相期間でないと判定された場合には、排卵日予測を行うのに妥当でないと判断し、ステップＳ５０９に進む。ステップＳ５０９では、次の排卵日まで日数がある旨のメッセージを通知する。
【００６５】
一方、ステップＳ８０４において、現在が低温相期間であると判定された場合には、排卵日予測を行うのに妥当であると判断し、ステップＳ５０２に進む。以降、ステップＳ５０３からステップＳ５０８までの処理は、図５のステップＳ５０３からステップＳ５０８までの処理と同じであるため、ここでは説明を省略する。
【００６６】
以上の説明から明らかなように、本実施形態では、基礎体温データを読み出し、基準体温を算出することにより、現在が、低温相期間であるのか高温相期間であるのかを判定する構成とした。更に、高温相期間であると判定された場合には、排卵日予測を行わない構成とした。この結果、不適切な予測結果を表示することを回避することが可能となった。
【００６７】
［第４の実施形態］
上記第１乃至第３の実施形態では、おりものの量データに着目したが、本発明はこれに限定されない。例えば、おりもののＰＨデータに着目するようにしてもよい。
【００６８】
＜１．ＰＨデータを測定するためのシート＞
はじめに、おりもののＰＨデータを測定するためのシートについて説明する。図９は、おりもののＰＨデータを測定するためのシート９００を示す図である。図９において、９０１は、ＰＨ値に応じて変色するＰＨ試験紙であり、シート９００の表面中央位置に配置されている。
【００６９】
これにより、当該ＰＨ試験紙９０１がおりものに反応し変色した場合に、被検者がこれを目視し、情報処理装置１００に表示される判定用試験紙９０３と対比することで、おりもののＰＨデータを測定することができる。なお、当該測定したＰＨデータは、被検者によりメモ情報として情報処理装置１００に入力される。
【００７０】
＜２．排卵日予測処理の流れ＞
次に、情報処理装置１００における排卵日予測処理の流れについて説明する。なお、メモ情報としてＰＨデータを用いた場合の排卵日予測処理にも、図５及び図８に示す排卵予測処理を適用することができる。
【００７１】
例えば、ステップＳ５０４では、ＰＨデータが酸性からアルカリ性に変化しはじめた日を特定し、当該変化しはじめた日から、３日経過後を排卵日と予測する。
【００７２】
また、ステップＳ５０６では、特定された生理日初日の所定日数前（例えば、１４日前）を排卵日と仮定し、当該排卵日及び当該排卵日に測定されたＰＨデータを、それぞれ基準日及び基準ＰＨとして、基準日前後のＰＨデータを正規化する。
【００７３】
例えば、基準日のＰＨデータが“８”で、その前日のＰＨデータが“６”であったとすると、前日のデータは、（−１、−２）と正規化することができる。また、その前々日のＰＨデータが“４”であったとすると、前々日のデータは、（−２、−４）と正規化することができる。つまり、図６と同様のグラフを作成することができ、図６と同様の近似曲線６０１及び到達日数６０２を算出することができる。
【００７４】
以上の説明から明らかなように、本実施形態では、メモ情報としておりもののＰＨデータを取得し、当該取得したＰＨデータに基づいて、排卵日を予測する構成とした。
【００７５】
このようにメモ情報に含まれるＰＨデータに基づいて予測する構成とすることで、自宅等において簡単に、かつ低コストで実施することが可能になるとともに、従来の基礎体温を測定する方法のように、長期間にわたり基礎体温データを継続して測定する必要がないため、被検者の作業負荷を大幅に軽減させることが可能となる。
【００７６】
また、本実施形態では、更に、メモ情報として過去の生理日初日を判断可能なデータが所定個数以上含まれており、かつ、対応する過去のＰＨデータが所定個数以上含まれていた場合には、解析処理を実行する構成とした。
【００７７】
これにより、被検者に適した排卵日予測を行うことが可能となり、予測精度を向上させることが可能となった。
【００７８】
［第５の実施形態］
上記第１乃至第４の実施形態では、おりものの量データまたはＰＨデータに着目したが、本発明はこれに限定されず、おりものの粘度データに着目してもよい。具体的には、おりものの量データと同様に、被検者が目視により判断した、０〜３の４段階のうちのいずれかの数値を選択的に入力することで、排卵日予測を行うようにしてもよい。
【００７９】
［その他の実施形態］
上記第１乃至第５の実施形態では、女性体温計１１０を介して取得された、あるいは直接入力されたメモ情報及び基礎体温データ（測定情報）に基づいて、情報処理装置１００において排卵日予測処理を実行する構成としたが、本発明はこれに限定されず、女性体温計１１０において上記排卵日予測処理を実行するように構成してもよい。
【符号の説明】
【００８０】
１００：情報処理装置、１１０：女性体温計、１１１：表示部、１１２：操作部、１１３：左ボタン、１１４：右ボタン、１１５：上ボタン、１１６：下ボタン、１１７：決定ボタン、３０１：選択機能表示領域、３０２：選択メモ表示領域、３０３：測定データ表示領域、３０４：設定情報表示領域、３０５：現在日時表示領域、３０６：内部状態表示領域、６０１：近似曲線、６０２：到達日数、７００：シート、７０１：マーク、９００：シート、９０１：ＰＨ試験紙
【図１】
2014064706.tif 000003
【図２】
2014064706.tif 000004
【図３】
2014064706.tif 000005
【図４】
2014064706.tif 000006
【図５】
2014064706.tif 000007
【図６】
2014064706.tif 000008
【図７】
2014064706.tif 000009
【図８】
2014064706.tif 000010
【図９】
2014064706.tif 000011